(57)【要約】【課題】本発明は、表層を蓄光体と異なる色調として特殊印刷処理をすることにより真偽判別時にのみ、色調の変化形態が視認でき得る模倣を困難とした判別の容易性のある真偽判別ラベルの製造方法を提供する。【解決手段】蓄光体の励起波長を調整して、励起反応を更に高めた特殊蓄光体を生成し、光透過度の高い厳選した透明なレジンと反応に最低限必要な付与剤や添加剤のみを混練してインキ化し、高輝度な反応性の高いインキＡを生成した。基材に対してインキＡをシルクスクリーン印刷技法を用いて、蓄光層（１）を形成する。又、表層を白色化する目的で白色インキ等を用い、蓄光体層と積層とした場合、励起スペクトルは白色（インキ）層に遮られ、蓄光体が励起し辛く弱き発光輝度となってしまうため、瞬時での判別の容易性が失われてしまう。本発明では、同印刷技法を用いて、色インキ層（２）を蓄光層（１）を隠蔽するため、上層に設ける。【選択図】    図１
2004354715.tif 000002
【特許請求の範囲】
【請求項１】
特殊蓄光体を利用した、ラベル自身の模倣を抑制し得ることを特徴とする真偽判別ラベルの製造方法。
【請求項２】
脆弱性を付与したことを特徴とする請求項１記載の真偽判別ラベルの製造方法。
【発明の詳細な説明】
【０００１】
【発明の属する技術分野】
本発明は、特殊蓄光体を使用し、真偽判別の容易さとラベル自身の模倣を抑制でき得る、シルクスクリーン印刷技法を用いた印刷物の製造方法に関するものである。
又、同印刷技術を用いて、インキ層のみで形成した脆弱性を付与した転写印刷物の製造方法に関するものである。
【０００２】
【従来の技術】
偽造・改ざん防止を目的とする技法は、各国の紙幣に代表されるようにホログラムを活用したものやパール顔料を使用したもの、ＯＶＩインキを使用したものなど、従前より複雑な形状のものが数多く提案され、実用化されている。
蓄光体（顔料、インキ）を用いた判別の容易性のある印刷ラベルも一般製品の判別のため従前より数種が提案されている。
しかし、蓄光体（顔料、インキ）を利用した偽造・改ざん防止印刷物の現状は、蓄光体（顔料、インキ）自身が一般に入手可能であり、その粒径と硬度がネックとなり紙幣には利用し難く、蓄光体（顔料、インキ）自身が淡い発光スペクトルの色調を有していることから、一般製品に利用する場合に於いてもラベル自身が模倣され易く、蓄光体（顔料、インキ）を利用した偽造・改ざん防止を目的とした印刷ラベルは、一般への普及がさせ難いものとなっていた。
【０００３】
【発明が解決しようとする課題】
前述の如く、蓄光体（顔料、インキ）は市販されているものが多く一般に入手可能であり、乳白色ではあるが淡い発光スペクトルの色調を有している。
そのため偽造・改ざん防止ラベル自身の変化形態を予測され、利用した蓄光体（顔料、インキ）を特定されてしまい、蓄光体（顔料、インキ）の単体での利用は模倣され易い。
従前の蓄光体（顔料、インキ）を使用した偽造・改ざん防止目的のラベルでは、模倣抑制のために他の防止技術〔例えばホログラムやＩＣチップ〕との組み合わせで、副次的に利用されて製造される場合が多く、その利用には制約があった。
又、明所でなければ組み合わされた防止技術も視認性が思わしくない場合もあり〔複雑なパターンなど薄暗い場所などでの視認性が悪く誤認し易い、光スペクトルの反射を利用するものも同様である〕、一般での判別は難しく、使用用途に制約が合った。
本発明は、前述の如き実情に鑑み為されたものであり、変化形態の予測ができず、真偽判別ラベル自身の模倣が困難な、瞬時での判別の容易性のある真偽判別ラベルを提供することにある。
【０００４】
【課題を解決するための手段】
特殊な蓄光体（顔料、インキ）を利用し、表層を蓄光体（顔料、インキ）と異なる色調として特殊印刷処理をすることにより真偽判別時にのみ、色調の変化形態が視認でき得る、模倣を困難とした判別の容易性のある印刷ラベルを提供することにある。
【０００５】
【発明の実施の形態】
実施例として図１に示す積層構造を成す真偽判定ラベルを製造するものとし、発光スペクトルを「赤色」として説明する。
蓄光体（顔料）として特願２００１−２２７７８７にある東京資料印書（株）製の蓄光体（顔料）を用いた。
この蓄光体（顔料）は僅かな光源により瞬時に高輝度な反応を示すものである。
これは判別時での視認の容易性を迅速にするために必要な条件要素である。
一例として示すと、この蓄光体（顔料）を利用した出願人印刷物の輝度は、防災安全標識のＪＩＳ規格基準を従来比で３倍以上上回るものである。
この蓄光体（顔料）の励起波長を調整して、励起反応を更に高めた特殊蓄光体を生成し、光透過度の高い厳選した透明なレジンと反応に最低限必要な付与剤や添加剤のみを混練してインキ化することにより、高輝度な反応性の高いインキ〔以下「インキＡ」とする〕を生成した。
基材となる材料〔励起を促すため白色材が望ましい〕に対してこの「インキＡ」をシルクスクリーン印刷技法の一つである出願人の特願２００２−１１１６０１に示す独自の印刷技法を用いて、整列性のある膜厚が概ね２０〜３００μの印刷塗膜層〔以下「蓄光層（１）」とする〕を形成させる。
一般に蓄光体（顔料・インキ）は、その生成性状から淡い発光スペクトルの色調を有しており、直接表層とすることは特定されて模倣に繋がり得るため、そのままでの利用は困難である。
又、表層を白色化する目的で白色インキ等を用い、蓄光体（顔料・インキ）層と積層とした場合、励起スペクトルは白色（インキ）層に遮られ、蓄光体が励起し辛く弱き発光輝度となってしまうため、瞬時での判別の容易性が失われてしまう。
本発明では、同印刷技法を用いて、図１に示す特殊他色インキ層〔以下「色インキ層（２）」とする〕を「蓄光層（１）」を隠蔽するため、上層に設ける。
この「色インキ層（２）」は、一般に市販される色顔料、染料、又は其々を使用した一般の市販インキを一部用いて利用することも可能である。
この「色インキ層（２）」を形成する「蓄光層（１）」と異なる色調を呈するインキは、概ね１０〜３００μの印刷塗膜層を持ち、でき得る平滑で、下層となる「蓄光層（１）」を隠蔽する〔「蓄光層（１）」の存在が不明瞭な程度〕必要がある。
実施例では図１に示す「白色層」とその上層に更に「黄色層」を設けるものとする。
この「白色層」、「黄色層」には一般市販される蛍光顔料と、光透過度の高い厳選した透明なレジンと反応に最低限必要な付与剤や添加剤のみを混練してインキ化している。
この積層構造により下層の「蓄光層（１）」の変化形態は視認することが困難となり、現在市販される蓄光体（顔料、インキ）では実質的に同様の効果が得られず、模倣し得ないものとなる。
前述の如く従来の技術ではこの「色インキ層（２）」などで「蓄光層（１）」を遮蔽することは「蓄光層（１）」の励起スペクトルの吸収を妨げ、励起阻害を引き起こし、事実上不可能であったからである。
又、蓄光体（顔料、インキ）を透明インキ層との積層として、透明インキ層を光スペクトルが透過でき得るにようにし、蓄光体層の発光スペクトルを他色調に見せる技術は、従前より行なわれていたが下層の蓄光体（顔料、インキ）は限定された高輝度タイプの一般市販のものであり、本件「課題」の如く利用する蓄光体（顔料、インキ）を特定され模倣され易く、明所・暗所の区別無く、同色に視認できるか、又はブルー・グリーン等の同系列色調の発光スペクトルを呈するものに限定されたものであった。
必然的に色調の異なる様相を呈すること、ラベル自身の模倣を抑制すること、容易に判別でき得ることなどが要求される偽造・改ざん防止目的には実用的ではなかった。
従来の一般市販されている蓄光体（顔料、インキ）と印刷条件では、上層からの励起スペクトルの吸収が妨げられた場合〔光スペクトルの透過が非常に少なくなった場合など〕、仮に側面からの励起スペクトルを吸収しても、一部分〔例えば光スペクトルの直接照射されている蓄光体（顔料、インキ）印刷塗布部の輪郭のみ〕しか発光スペクトルを得ることができず、発光輝度も弱く真偽判別し辛いものとなる。
しかし、この特殊な励起反応を高めた「インキＡ」を利用して、「蓄光層（１）」内の蓄光体（顔料）の整列性を高めた独自の特殊な印刷技法を用いることは、光源からの不確定な僅かな光スペクトル照射であっても、「蓄光層（１）」全体を瞬時に反応させることに効果を示し、判別の容易性などが実用化でき得る状態となった。
本発明は、側面からの光スペクトルをも「蓄光層（１）」全体に連鎖的に吸収され易いのである。
これは、特殊な蓄光体と特殊な印刷技法を取り入れた結果である。
使用用途を考察し、最上層部にクリアーコート印刷層を図１に示すように設ける。
実施例では、明所にて黄色と視認でき得るラベルであり、暗所では鮮やかな赤色を呈する。
又、３６５ｎｍ〜４１５ｎｍの紫外線光を暗所で照射すると、鮮やかに黄色に発色するものとなり、２元・３元的な変化形態を容易に付与することができた。
これは従来、副次的に利用されていた蓄光体（顔料、インキ）に対して主とする役割を与え、印刷技法にて多種の形状や色調の意匠性（デザイン性）を容易に付与させ得るものとなる。
又、基材に脆弱性を持つ材質を利用すれば、貼り替えなどの改ざん防止効果も生み出すことから、本発明は前述の技術を用い、図２に示す印刷インキ層のみで形成された基材を持たない真偽判別ラベルを作成した。
この真偽判定ラベルは印刷インキ層のみで形成されているため、前述の脆弱性を持つ基材と、概ね同等の効果を齎す、脆弱性のあるものとなった。
紙に通常のシール・ラベルを貼り付けても、熱を加え剥がしたり、カッターなどで時間を掛けて削ぎ取りをしたりすることにより、綺麗に剥がすことが可能〔実施テスト結果として〕であるが、本発明の転写ラベルは、貼り付け２４時間後には剥がそうとするとラベル自身が破断してしまい再利用することはできなかった。
【０００６】
【発明の効果】
真偽判別ラベル自身の表層を「蓄光層（１）」と別の色調とした場合、変化形態は非常に予測し難く、インキ層の積層構造は、構造を把握しようと画策する剥がし行為に対しても、その性状を把握することは難しく、模倣が困難であるという優れた効果を有する。
本発明品は、非常に輝度の優秀な蓄光体（顔料）を利用しており、その輝度感から視認性に優れ、瞬時で励起する判別の容易性を齎すことができ得るという優れた効果を有する。
又、脆弱性を兼ね備えることが可能な本発明は、一般製品に対する偽造改ざん防止効果に対してもその効果は高い。
社会的に偽造・改ざん防止が要求されている現代に於いて、本発明の効果は計り知れないものである。
【図面の簡単な説明】
【図１】実施例の真偽判別ラベルの積層構造を示す図である。
【図２】実施例の真偽判別ラベルの積層構造を示す図である。
【符号の説明】
（１）    蓄光層
（２）    色インキ層
【図１】
2004354715.tif 000003
【図２】
2004354715.tif 000004